(57)【要約】【課題】ユーザの体調悪化時に、ユーザへの対処に関する情報を充分に表示することが可能な健康管理端末を提供する。【解決手段】メッセージ通知部２４は、ユーザの体調が悪化したと判定された場合、健康管理端末（１）が備えているディスプレイ（１４）およびディスプレイ端末が備えているディスプレイ（４２）のうち表示可能な情報量が最も多いディスプレイ（１４）に、体調悪化時のユーザへの対処に関する詳細メッセージを表示させる。【選択図】図１
2017146861.tif 000002
【特許請求の範囲】
【請求項１】
ユーザの体調に関する情報を取得する取得部と、
上記ユーザの体調が悪化したか否かを判定する判定部と、
上記ユーザの体調が悪化したと判定された場合、複数の表示端末が備えている各ディスプレイのうち表示可能な情報量が最も多い上記ディスプレイに、体調悪化時の上記ユーザへの対処に関する対処情報を表示させる表示制御部とを備えていることを特徴とする管理端末。
【請求項２】
上記表示制御部は、すべての上記ディスプレイのうち、表示可能な情報量が最も多い上記ディスプレイ以外の各ディスプレイに、表示可能な情報量が最も多い上記ディスプレイを備えている上記表示端末への誘導に関する誘導情報を表示させることを特徴とする請求項１に記載の管理端末。
【請求項３】
表示可能な情報量が最も多い上記ディスプレイを備えている上記表示端末の所在位置を決定する位置決定部をさらに備えており、
上記表示制御部は、上記ユーザの体調が悪化したと判定された場合、上記所在位置を示す情報を含む上記誘導情報を、表示可能な情報量が最も多い上記ディスプレイ以外の各上記ディスプレイに表示させることを特徴とする請求項２に記載の管理端末。
【請求項４】
上記表示制御部は、上記所在位置が決定されず、かつ、上記ユーザの体調が悪化したと判定された場合、上記所在位置を示す情報を含まない上記誘導情報を、表示可能な情報量が最も多い上記ディスプレイ以外の各上記ディスプレイに表示させることを特徴とする請求項３に記載の管理端末。
【請求項５】
上記管理端末は、いずれかの上記ディスプレイを備えている上記表示端末であることを特徴とする請求項１〜４のいずれか１項に記載の管理端末。
【請求項６】
上記表示制御部は、すべての上記ディスプレイのうち表示解像度が最も高いディスプレイを、表示可能な情報量が最も多い上記ディスプレイであると特定することを特徴とする請求項１〜４のいずれか１項に記載の管理端末。
【請求項７】
ユーザの体調に関する情報を取得する取得工程と、
上記ユーザの体調が悪化したか否かを判定する判定工程と、
上記ユーザの体調が悪化したと判定された場合、複数の表示端末が備えている各ディスプレイのうち表示可能な情報量が最も多い上記ディスプレイに、体調悪化時の上記ユーザへの対処に関する対処情報を表示させる表示制御工程とを有する管理方法。
【請求項８】
請求項１から５のいずれか１項に記載の管理端末としてコンピュータを機能させるためのプログラムであって、コンピュータを上記取得部、判定部、および表示制御部として機能させるためのプログラム。
【発明の詳細な説明】
【技術分野】
【０００１】
本発明はユーザの体調を管理する管理端末、管理方法、およびプログラムに関する。
【背景技術】
【０００２】
ユーザの生体情報を取得し、取得した生体情報の内容に応じた動作を行う電子機器が広く研究されている。さらに、上記の電子機器について、ユーザが自らの健康状態を把握し、把握した健康状態に対して行うべき処置を提供することが可能な健康管理端末が存在する。特許文献１は、センサが検知した利用者の健康状態に基づいて、メール、電話、アラーム、およびタッチパネル（入出力表示部）を用いて処置を提供することが可能な携帯機器が開示されている。
【先行技術文献】
【特許文献】
【０００３】
【特許文献１】特開２０１５−０７２６６４号公報（２０１５年４月１６日公開）
【特許文献２】特開平８−２４９２９２号（１９９６年１１月１９日公開）
【特許文献３】特開２００７−１４８７９６号（２００７年６月１４日公開）
【特許文献４】特開２００１−３４４３５２号公報（２００１年１２月１４日公開）
【特許文献５】特開２００５−３１８４０号公報（２００５年２月３日公開）
【特許文献６】特開２００７−３３４８９３号公報（２００７年１２月２７日公開）
【発明の概要】
【発明が解決しようとする課題】
【０００４】
しかしながら、特許文献１には、利用者の病気に対する処置に関する情報を表示するためのディスプレイが複数ある場合、どのディスプレイを表示先とするのか、何ら開示されていない。そのため、表示能力の低いディスプレイが情報表示先として選ばれる結果、処置に関する情報が表示の途中で途切れるなどして、不十分な形でディスプレイに表示される恐れが生ずる。この場合、突然具合が悪くなるなど利用者の体調が悪化した場合、利用者の周囲にいる人が利用者への処置に関する情報をディスプレイから充分に得られないので、適切な処置が利用者に対してなされなくなり得る。
【０００５】
本発明は、前記の問題点に鑑みてなされたものであり、その目的は、ユーザの体調悪化時に、ユーザへの対処に関する情報を充分に表示することが可能な管理端末を提供することにある。
【課題を解決するための手段】
【０００６】
上記課題を達成するために、本発明の一態様に係る管理端末は、ユーザの体調に関する情報を取得する取得部と、上記ユーザの体調が悪化したか否かを判定する判定部と、上記ユーザの体調が悪化したと判定された場合、複数の表示端末が備えている各ディスプレイのうち表示可能な情報量が最も多い上記ディスプレイに、体調悪化時の上記ユーザへの対処に関する対処情報を表示させる表示制御部とを備えている。
【発明の効果】
【０００７】
本発明の一態様によれば、ユーザの体調悪化時に、ユーザへの対処に関する対処情報を十分に表示することが可能な管理端末を提供するという効果を奏する。
【図面の簡単な説明】
【０００８】
【図１】本発明の実施形態１に係る健康管理システムの要部構成を示すブロック図である。
【図２】本発明の実施形態１に係る健康管理システムの概要図であり、（ａ）はユーザが平常状態にあることを示す図であり、（ｂ）はユーザが体調の悪化によって路上に倒れ込み、第三者の救助を要する状態であることを示す図である。
【図３】本発明の実施形態１に係る健康管理システムが実行する表示端末決定処理の流れの一例を示すフローチャートである。
【図４】本発明の実施形態１に係る健康管理システムが実行する体調管理処理の流れの一例を示すフローチャートである。
【図５】本発明の実施形態１に係る健康管理端末およびディスプレイ端末におけるメッセージの表示例であり、（ａ）は主表示端末である健康管理端末のディスプレイに表示される詳細メッセージの例であり、（ｂ）は主表示端末が鞄の中にあると判定された場合における、副表示端末であるディスプレイ端末のディスプレイに表示される誘導メッセージの例であり、（ｃ）は主表示端末の位置が判明しなかった場合における、副表示端末であるディスプレイ端末のディスプレイに表示される誘導メッセージの例である。
【図６】本発明の実施形態２に係る健康管理システムの要部構成を示すブロック図である。
【図７】本発明の実施形態２に係る健康管理システムが実行する表示端末決定処理の流れの一例を示すフローチャートである。
【図８】本発明の実施形態２に係る健康管理システムが実行する体調管理処理の流れの一例を示すフローチャートである。
【発明を実施するための形態】
【０００９】
〔実施形態１〕
以下、本発明の実施形態について、図１から図５に基づいて詳細に説明する。
【００１０】
〔健康管理システム１００の構成〕
図１に基づいて、本実施形態に係る健康管理システム１００の概要を説明する。図１は、本実施形態に係る健康管理システム１００の要部構成を示すブロック図である。
【００１１】
図示の例において、健康管理システム１００は、健康管理端末１、ディスプレイ端末２、およびセンサ端末３を備えている。健康管理端末１、ディスプレイ端末２、およびセンサ端末３のいずれも、ユーザによって携帯される持ち運び可能なデバイスである。健康管理端末１は、ディスプレイ端末２およびセンサ端末３と互いに通信可能に接続されている。
【００１２】
健康管理端末１（管理端末）は、入力部１１、近接センサ１２、通信部１３、ディスプレイ１４、制御部２０、記憶部３０を備えており、制御部２０は、メッセージ登録部２１（位置決定部）、端末検出部２２、体調監視部２３（取得部、判定部）、およびメッセージ通知部２４（表示制御部）を備えている。
【００１３】
ディスプレイ端末２は、通信部４１、ディスプレイ４２、および制御部５０を備えている。さらに、制御部５０は、端末情報通知部５１、メッセージ受信部５２、およびメッセージ通知部５３を備えている。
【００１４】
センサ端末３は、通信部６１およびセンサ６２を備えている。
【００１５】
図２は、本実施形態に係る健康管理システム１００の概要を示す図である。図２に示すように、本実施形態では、健康管理端末１は、ユーザの健康を管理するための端末デバイスであり、スマートフォンとして実現されている。一方、ディスプレイ端末２は、腕時計型デバイスまたは帽子型デバイスである。本実施形態では、健康管理端末１が備えるディスプレイ１４の解像度は、腕時計型デバイスまたは帽子型デバイスが備えるディスプレイ４２の解像度よりも高い。そのため、健康管理端末１が備えるディスプレイ１４は、健康管理システム１００を構成する全ディスプレイのうち表示可能な情報量が最も多いディスプレイである。
【００１６】
センサ端末３は、ユーザの体調に関する情報を検出可能なデバイスであり、たとえば心臓ペースメーカまたは血圧計等である（図２では不図示）。
【００１７】
図２の（ａ）において、ユーザは平常状態にあり、図２の（ｂ）はユーザが体調の悪化によって路上に倒れ込んでいる。図２の（ａ）に示すようなユーザの平常時、センサ端末３は、これを装着しているユーザの体調に関する情報（以下、体調情報）を定期的に検出して、健康管理端末１に通知する。健康管理端末１は、通知された体調情報に基づき、ユーザの体調が悪化したか否かを判定する。
【００１８】
図２の（ｂ）に示すように、ユーザの体調が悪化したと判定された場合、スマートフォン、腕時計型デバイス、および帽子型デバイスのそれぞれに、ユーザの体調悪化に関する特別なメッセージが表示される。より詳細には、スマートフォンが備える最も解像度が高いディスプレイ１４には、体調悪化時のユーザへの対処情報を含む詳細なメッセージ（以下、詳細メッセージ）が表示され、腕時計型デバイスまたは帽子型デバイスが備える、ディスプレイ１４よりも解像度が小さいディスプレイ４２には、そのような詳細メッセージは表示されず、代わりに、スマートフォン（すなわち健康管理端末１）における表示を確認するように誘導する誘導情報（以下、誘導メッセージ）が表示される。
【００１９】
以下、詳細メッセージが表示される端末を「主表示端末」と表記し、一方、誘導メッセージが表示される端末を「副表示端末」と表記することがある。また、主表示端末と副表示端末を総称して「表示端末」と表記することがある。
【００２０】
〔健康管理端末１の構成〕
以下、健康管理端末１の構成を詳細に説明する。
【００２１】
入力部１１は、ユーザの操作を受け付ける。具体的には入力部１１はタッチパネルや物理キーであり、入力部１１は受け付けたユーザの操作に応じた信号（操作信号）を健康管理端末１の各部に出力する。近接センサ１２は、周囲に物体が存在するか否かを非接触で検出する。通信部１３は、制御部２０の制御にしたがって外部と通信する。ディスプレイ１４は、制御部２０の制御にしたがって情報を表示する。
【００２２】
記憶部３０は、健康管理端末１にて扱われる各種データを記憶する。記憶部３０には、たとえば上述した詳細メッセージおよび誘導メッセージ、健康管理端末１と通信可能に接続されている端末の情報である外部端末情報、ならびにユーザの体調に関する情報である体調情報が記憶されている。
【００２３】
メッセージ登録部２１は、入力部１１および近接センサ１２より受け付けた内容に基づいて詳細メッセージおよび誘導メッセージを記憶部３０に登録する。端末検出部２２は、各ディスプレイ端末２およびセンサ端末３を検出し、個々の端末に関する各種データを記憶部３０に登録する。
【００２４】
体調監視部２３は、センサ端末３から通信部１３を介してユーザの体調情報を受け付け、記憶部３０に登録する。さらに、受け付けた体調情報とそれまで記憶部３０に保持していた体調情報から、ユーザの体調が悪化したか否かを判定する。
【００２５】
メッセージ通知部２４は、体調監視部２３において、ユーザの体調が悪化したと判定した場合に、主表示端末に詳細メッセージを通知し、副表示端末に誘導メッセージを通知する。
【００２６】
〔ディスプレイ端末２の構成〕
ディスプレイ端末２の構成を詳細に説明する。通信部４１は、制御部５０の制御にしたがって外部と通信する。ディスプレイ４２は、制御部５０の制御にしたがって情報を表示する。端末情報通知部５１は、通信部４１を介してディスプレイ端末２に関する情報を健康管理端末１に通知する。メッセージ受信部５２は、通信部４１を介して健康管理端末１から誘導メッセージの通知を受け付ける。メッセージ通知部５３は、メッセージ受信部５２にて受け付けた誘導メッセージをディスプレイ４２に表示する。
【００２７】
〔センサ端末３の構成〕
センサ端末３の構成を詳細に説明する。通信部６１は、外部と通信する。センサ６２は、センサ端末３を身体に装着中のユーザの体調情報をユーザから取得し、通信部６１を通じて健康管理端末１に送信する。
【００２８】
〔処理の流れ〕
以下に、健康管理システム１００が実行する、表示端末決定処理および体調管理処理について、図３および図４を用いて説明する。図３は、本実施形態の健康管理システム１００が実行する表示端末決定処理の流れの一例を示すフローチャートである。図４は、本実施形態の健康管理システム１００が実行する体調管理処理の流れの一例を示すフローチャートである。
【００２９】
（表示端末決定処理）
まず、図３に基づいて、健康管理端末１が実行する表示端末決定処理について説明する。
【００３０】
はじめに、メッセージ登録部２１が、入力部１１を通じてユーザから入力された情報に基づいて、詳細メッセージを作成し、記憶部３０に登録する（Ｓ１）。このとき入力される情報は、たとえばユーザの個人情報（名前および電話番号）、体調悪化時にユーザに対して行って欲しい事項に関する説明文（文例：薬を取り出してください、○○病院に連絡してください）などが挙げられる。
【００３１】
次に、端末検出部２２が、複数のディスプレイ端末２から、各ディスプレイ端末２が備える各ディスプレイ４２の表示解像度を取得する（Ｓ２）。さらに端末検出部２２が、取得した解像度と健康管理端末１のディスプレイ１４の解像度とに基づいて、主表示端末および副表示端末を決定する（Ｓ３）。具体的には、解像度が最も高いディスプレイを備える端末を、主表示端末に特定し、解像度が最も高いディスプレイ以外のディスプレイを備える端末を、副表示端末に決定する。本実施形態では、解像度が最も高いディスプレイ１４を備える健康管理端末１が主表示端末に決定され、各ディスプレイ端末２は副表示端末に決定される。
【００３２】
Ｓ３の後、メッセージ登録部２１は、近接センサ１２が健康管理端末１の周囲に物体を検知したか否かを判定する（Ｓ４）。メッセージ登録部２１は、この判定結果に基づき、健康管理端末１の所在位置を決定する。たとえば、健康管理端末１の周囲に物体が検出された場合、健康管理端末１は鞄（またはポケット）の中にあると決定する。一方、物体が検出されない場合、健康管理端末１の所在位置が未確認であると決定する。
【００３３】
本実施形態では、Ｓ４がＹＥＳなら、メッセージ登録部２１は、各副表示端末に鞄の中にある主表示端末への誘導メッセージを登録する（Ｓ５）。一方、Ｓ４がＮＯなら、メッセージ登録部２１は、各副表示端末に所在位置が未確認である主表示端末への誘導メッセージを登録する（Ｓ６）。
【００３４】
表示端末決定処理によって、健康管理システム１００は、詳細メッセージおよび誘導メッセージを記憶部３０に登録し、さらに主表示端末と副表示端末とを決定し、適切な誘導メッセージを登録することができる。
【００３５】
なお、健康管理システム１００において、図３に示すＳ２〜Ｓ６の一連の工程は、定期的に実行される。これにより、ユーザが身につけるディスプレイ端末２の増減またはユーザによる健康管理端末１の所在位置の変更に対応して、主表示端末および副表示端末を決定し直したり誘導メッセージを登録し直したりすることができる。
【００３６】
（体調管理処理）
以下に、図４に基づいて、健康管理システム１００が実行する体調管理処理について説明する。
【００３７】
まず、体調監視部２３は、センサ端末３よりユーザの現在の体調情報を取得し（Ｓ１１）、この体調情報に基づきユーザの体調が悪化したか否かを判定する（Ｓ１２）。たとえば、現在の体調情報が、過去の体調情報から規定値を超えて変動した場合に、ユーザの体調が悪化したと判定する。
【００３８】
Ｓ１２がＮＯなら、図４の処理はＳ１１に戻る。したがって、ユーザの体調が悪化したと判定されるまで、Ｓ１１およびＳ１２の工程が繰り返し実行される。一方、Ｓ１２がＹＥＳなら、メッセージ通知部２４が、記憶部３０から詳細メッセージおよび誘導メッセージを選択する（Ｓ１３）。健康管理端末１が主表示端末であるため、メッセージ通知部２４は、選択した詳細メッセージを、健康管理端末１のディスプレイ１４に出力する。これにより、主表示端末（健康管理端末１）は、自身のディスプレイ１４に詳細メッセージを表示する（Ｓ１４）。
【００３９】
さらに、メッセージ通知部２４は、選択した誘導メッセージを、各副表示端末（ディスプレイ端末２）に通知する（Ｓ１５）。各ディスプレイ端末２のメッセージ受信部５２が誘導メッセージを受信し、メッセージ通知部５３に出力する。メッセージ通知部５３は、受け取った誘導メッセージをディスプレイ４２に出力する。これにより、各副表示端末（ディスプレイ端末２）が、自身のディスプレイ４２に誘導メッセージを表示する（Ｓ１６）。
【００４０】
図５に基づいて、Ｓ１４で主表示端末が表示する詳細メッセージと、Ｓ１６で各副表示端末が表示する誘導メッセージの具体例について説明する。図５の（ａ）は主表示端末が表示する詳細メッセージの例であり、図５の（ｂ）および（ｃ）は各副表示端末が表示する誘導メッセージの例である。
【００４１】
図５の（ａ）のように、主表示端末（健康管理端末１＝スマートフォン）のディスプレイ１４は、ユーザへの具体的な対処内容や連絡先の情報などを含む詳細メッセージが表示される。ディスプレイ１４の解像度は、健康管理システムに含まれるすべてのディスプレイの中で最も大きいので、ディスプレイ１４には、詳細メッセージが途中で途切れることなく充分に表示される。そのため、ユーザの体調悪化時、ユーザの周囲にいる人は健康管理端末１（スマートフォン）の画面に表示される詳細メッセージを確認することによって、ユーザへの対処方法を充分に知ることができるので、必要充分な対応を取ることができる。
【００４２】
一方、図５の（ｂ）または（ｃ）のように、各副表示端末（ディスプレイ端末２）のディスプレイ４２には、ユーザの周囲に人を主表示端末（健康管理端末１＝スマートフォン）の表示内容に誘導する文面を含む誘導メッセージが表示される。Ｓ４がＹＥＳなら図５の（ｂ）のように、主表示端末の位置を含む誘導メッセージが表示され、Ｓ４がＮＯなら図５の（ｃ）のように、主表示端末の位置を含まない誘導メッセージが表示される。これにより、ユーザの体調悪化時、ユーザの周囲にいる人は、ディスプレイ端末２（腕時計型デバイス、帽子型デバイス）の画面に表示される誘導メッセージを確認することによって、スマートフォンの画面を視認するように行動することができる。これにより、ユーザの周囲に入る人に対して詳細メッセージを素早く確認させることが可能となるので、適切な対処がユーザに対して素早くなされることが期待される。特に、図５の（ｂ）のように主表示端末の位置を含む誘導メッセージが表示される場合、ユーザの周囲に入る人はより素早く主表示端末の表示内容を確認することができるので好適である。
【００４３】
さらに、詳細メッセージおよび誘導メッセージの表示時、主表示端末（健康管理端末１）のみが、図示しないスピーカから警告音を出力させたり、図示しないバイブレータをオンにして主表示端末を振動させたり、あるいは図示しないＬＥＤランプを点灯させたりしてもよい。これらにより、ユーザの周囲にいる人を、より確実に主表示端末に誘導することができる。
【００４４】
〔実施形態２〕
本発明の他の実施形態について、図６〜８に基づいて説明すれば、以下のとおりである。なお、説明の便宜上、前記実施形態にて説明した部材と同じ機能を有する部材については、同じ符号を付記し、その説明を省略する。
【００４５】
〔健康管理システム３００の構成〕
図６に基づいて、本実施形態に係る健康管理システム３００の概要を説明する。図６は、本実施形態に係る健康管理システム３００の要部構成を示すブロック図である。
【００４６】
図示の例において、健康管理システム３００は、健康管理端末１、ディスプレイ端末２００、およびセンサ端末３を備えている。本実施形態は、ディスプレイ端末２００が個別に記憶部を備え、該記憶部に登録されている誘導メッセージをディスプレイ４２に表示する点において、実施形態１と相違する。
【００４７】
〔健康管理端末１の構成〕
本実施形態において、健康管理端末１は、実施形態１と同一の構成であるが、記憶部３０、およびメッセージ通知部２４の機能の一部が異なる。すなわち、記憶部３０は、ディスプレイ端末２００に関する各種データを記憶する。なお、記憶部３０は、記憶部８０を備えるディスプレイ端末２００と、実施形態１に記載の記憶部８０が存在しない構成であるディスプレイ端末２とを区別して登録することが可能なデータ構造であれば、本実施形態に係る健康管理端末１は、両者を同時に利用することが可能である。上記以外の処理については、実施形態１と同一である。
【００４８】
メッセージ通知部２４は、端末検出部２２が主表示端末および副表示端末を決定し、メッセージ登録部２１が近接センサ１２によって健康管理端末１の周囲の物体の存在を確認した後、各副表示端末に対して記憶部３０に登録されている誘導メッセージを通知する。さらに、体調監視部２３がユーザの体調の悪化を検知した場合に、各副表示端末へ、各副表示端末が保持している誘導メッセージを表示するよう通知する。上記以外の処理については、実施形態１と同一である。
【００４９】
〔ディスプレイ端末２００の構成〕
以下に、本実施形態に係るディスプレイ端末２００の構成を図６に基づいて説明する。図示のように、ディスプレイ端末２００は、実施形態１に係るディスプレイ端末２と、制御部５０がメッセージ受信部５２の代わりにメッセージ選択部５４を備え、さらに記憶部８０を備えている以外は同一の構成となっている。
【００５０】
記憶部８０は、ディスプレイ端末２００にて扱われる各種データを記憶する。
【００５１】
メッセージ選択部５４は、通信部４１を介して健康管理端末１から誘導メッセージの表示通知を受けると、記憶部８０から誘導メッセージを選択する。
【００５２】
メッセージ通知部５３は、メッセージ選択部５４にて選択された誘導メッセージをディスプレイ４２に表示する。
【００５３】
〔センサ端末３の構成〕
以下に、本実施形態に係るセンサ端末３の構成を図６に基づいて説明する。図示のように、センサ端末３は、実施形態１に係るセンサ端末３と同一の構成となっている。
【００５４】
〔処理の流れ〕
以下に、健康管理システム３００が実行する、表示端末決定処理および体調管理処理について、図７および図８を用いて説明する。図７は、本実施形態の健康管理システム３００が実行する表示端末決定処理の流れの一例を示すフローチャートである。図８は、本実施形態の健康管理システム３００が実行する体調管理処理の流れの一例を示すフローチャートである。以下の説明において、実施形態１と同様に、健康管理端末１のディスプレイ１４の解像度は、各ディスプレイ端末２００のディスプレイ４２の解像度よりも高いものとする。
【００５５】
（表示端末決定処理）
まず、図７に基づいて、健康管理端末１が実行する表示端末決定処理について説明する。
【００５６】
Ｓ１〜Ｓ３の処理は、実施形態１と同一である。その後、近接センサ１２によって健康管理端末１の周囲の物体の存在を検知した場合（Ｓ４でＹＥＳ）、メッセージ通知部２４は、鞄の中にある主表示端末（健康管理端末１）への誘導メッセージを作成し、各副表示端末（ディスプレイ端末２００）に通知する（Ｓ２１）。一方、メッセージ通知部２４は、近接センサ１２が周囲の物体の存在を検知しなかった場合（Ｓ４でＮＯ）、位置が未確認である主表示端末（健康管理端末１）への誘導メッセージを作成し、各副表示端末（ディスプレイ端末２００）に通知する（Ｓ２２）。
【００５７】
Ｓ２１またはＳ２２によって誘導メッセージが各ディスプレイ端末２００へ通知されると、各副表示端末（ディスプレイ端末２００）が自身の記憶部８０に誘導メッセージを保持する（Ｓ２３）。
【００５８】
このように、本実施形態では、健康管理端末１が、ユーザの体調悪化時に各ディスプレイ端末２００が表示する誘導メッセージを自身の記憶部３０には登録せず、事前に各ディスプレイ端末２００に提供する。そして、各ディスプレイ端末２００は、事前に提供された誘導メッセージを自身の記憶部８０に登録する。
【００５９】
（体調管理処理）
以下に、図８に基づいて、健康管理システム３００が実行する体調管理処理について説明する。
【００６０】
Ｓ１１およびＳ１２は実施形態１と同様である。ユーザの体調が悪化したと判定された場合（Ｓ１２でＹＥＳ）、メッセージ通知部２４は、記憶部３０から詳細メッセージを選択し（Ｓ３１）、ディスプレイ１４に該詳細メッセージを表示する（Ｓ１４）。さらに、メッセージ通知部２４は、各副表示端末（ディスプレイ端末２００）に誘導メッセージを表示するように通知する（Ｓ３２）。この通知を受けて、メッセージ選択部５４が、記憶部８０から誘導メッセージを選択してメッセージ通知部５３に出力する。メッセージ通知部５３は、受け取った誘導メッセージをディスプレイ４２に表示する（Ｓ３３）。表示される詳細メッセージおよび誘導メッセージの具体例は、たとえば図５の（ａ）〜（ｃ）に示すものと同様である。
【００６１】
本実施形態では、各副表示端末２００が自身の記憶部８０に事前に登録済みの誘導メッセージを表示するので、健康管理端末１は、誘導メッセージを事前に一度だけ各副表示端末２００に通知しておけばよい。言い換えると、ユーザの体調が悪化するたびに各副表示端末２００誘導メッセージそのものを通知する必要がない。
【００６２】
〔変形例〕
上述の実施形態１または２では、健康管理端末１は各ディスプレイ端末２のディスプレイ４２の解像度などの情報について、端末検出部２２が検出して登録する構成となっていた。しかし、健康管理端末１は、ディスプレイ端末２に関する情報を保持することが可能な構成であればどのようなものであってもよく、たとえば入力部１１を介してユーザが直接登録および削除を行う構成であってもよい。
【００６３】
〔実施形態３〕
健康管理端末１の制御部（特に端末検出部２２、体調監視部２３、およびメッセージ通知部２４）は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、健康管理端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、たとえば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６５】
〔まとめ〕      
本発明の態様１に係る管理端末（健康管理端末１）は、ユーザの体調に関する情報を取得する取得部（体調監視部２３）と、上記ユーザの体調が悪化したか否かを判定する判定部（体調監視部２３）と、上記ユーザの体調が悪化したと判定された場合、複数の表示端末（健康管理端末１、ディスプレイ端末２）が備えている各ディスプレイ（１４、４２）のうち表示可能な情報量が最も多い上記ディスプレイ（１４、４２）に、体調悪化時の上記ユーザへの対処に関する対処情報を表示させる表示制御部（メッセージ通知部２４、５３）とを備えている。
【００６６】
上記の構成によれば、ユーザの体調悪化時に、ユーザへの対処に関する対処情報を十分に表示することが可能な管理端末を提供するという効果を奏する。
【００６７】
本発明の態様２に係る管理端末（健康管理端末１）は、上記態様１において、上記表示制御部（メッセージ通知部２４、５３）は、すべての上記ディスプレイ（１４、４２）のうち、表示可能な情報量が最も多い上記ディスプレイ（１４）以外の各ディスプレイ（４２）に、表示可能な情報量が最も多い上記ディスプレイ（１４）を備えている上記表示端末への誘導に関する誘導情報を表示させる。
【００６８】
上記の構成によれば、誘導情報に基づいて表示可能な情報量が最も多いディスプレイに表示されている対処情報を確認することが可能となる。したがって、対処情報を容易に参照することが可能になるという効果を奏する。
【００６９】
本発明の態様３に係る管理端末（健康管理端末１）は、上記態様２において、表示可能な情報量が最も多い上記ディスプレイ（１４）を備えている上記表示端末（健康管理端末１）の所在位置を決定する位置決定部（メッセージ登録部２１）をさらに備えており、上記表示制御部（メッセージ通知部２４、５３）は、上記ユーザの体調が悪化したと判定された場合、上記所在位置を示す情報を含む上記誘導情報を、表示可能な情報量が最も多い上記ディスプレイ以外の各上記ディスプレイ（４２）に表示させる。
【００７０】
上記の構成によれば、表示可能な情報量が最も多いディスプレイ以外の各ディスプレイに、表示可能な情報量が最も多いディスプレイの所在位置を含む誘導情報を表示することが可能となる。したがって、各ディスプレイの誘導情報に基づいて表示可能な情報量が最も多いディスプレイに表示されている対処情報を参照することが可能になるという効果を奏する。
【００７１】
本発明の態様４に係る管理端末（健康管理端末１）は、上記態様３において、上記表示制御部（メッセージ通知部２４、５３）は、上記所在位置が決定されず、かつ上記ユーザの体調が悪化したと判定された場合、上記所在位置を示す情報を含まない上記誘導情報を、表示可能な情報量が最も多い上記ディスプレイ以外の各上記ディスプレイ（４２）に表示させる。
【００７２】
上記の構成によれば、表示可能な情報量が最も多いディスプレイの所在位置が不明である場合に、表示可能な情報量が最も多いディスプレイ以外の各ディスプレイに、所在位置を特定しない誘導情報を表示することが可能となる。したがって、利用者の周囲の人は、確認すべきディスプレイを、その所在位置に対する予断を持つことなく適切に探すことができるという効果を奏する。
【００７３】
本発明の態様５に係る管理端末（健康管理端末１）は、上記態様１〜４のいずれか１項において上記管理端末（健康管理端末１）は、すべての上記ディスプレイ（１４、４２）のうちいずれかを備えている上記表示端末（健康管理端末１）である。
【００７４】
上記の構成によれば、管理端末は表示端末の１つとすることができる。したがって、管理端末は自身のディスプレイにユーザの体調情報および誘導情報を表示することが可能となる。
【００７５】
本発明の態様６に係る管理端末（健康管理端末１）は、上記態様１〜４のいずれか１項において、上記表示制御部（メッセージ通知部２４、５３）は、すべての上記ディスプレイ（１４、４２）のうち表示解像度が最も高いディスプレイ（１４）を、表示可能な情報量が最も多いディスプレイであると特定する。
【００７６】
上記の構成によれば、表示解像度が最も高いディスプレイに対処情報を表示することが可能となる。したがって、確実に対処情報を表示する健康管理端末を実現することが可能になるという効果を奏する。
【００７７】
本発明の態様７に係る管理方法は、ユーザの体調に関する情報を取得する取得工程（Ｓ１１）と、上記ユーザの体調が悪化したか否かを判定する判定工程（Ｓ１２）と、上記ユーザの体調が悪化したと判定された場合、複数の表示端末が備えている各ディスプレイのうち表示可能な情報量が最も多い上記ディスプレイに、体調悪化時の上記ユーザへの対処に関する対処情報を表示させる表示制御工程（Ｓ１４）とを有する。よって、上記態様１と同様の効果を奏する。
【００７８】
本発明の各態様に係る管理端末は、コンピュータによって実現してもよく、この場合には、コンピュータを上記管理端末が備える各部（ソフトウェア要素）として動作させることにより上記管理端末をコンピュータにて実現させる管理端末の制御プログラム、およびそれを記録したコンピュータ読み取り可能な記録媒体も、本発明の範疇に入る。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８０】
１  健康管理端末（管理端末、表示端末）  ２，２００  ディスプレイ端末（表示端末）  ３  センサ端末  １２  近接センサ  １４，４２  ディスプレイ  ２１  メッセージ登録部  ２２  端末検出部  ２３  体調監視部  ２４，５３  メッセージ通知部  ３０，８０  記憶部  ５１，７１  端末情報通知部  ５２  メッセージ受信部  ５４  メッセージ選択部  ６２  センサ  １００，３００  健康管理システム
【図１】
2017146861.tif 000003
【図２】
2017146861.tif 000004
【図３】
2017146861.tif 000005
【図４】
2017146861.tif 000006
【図５】
2017146861.tif 000007
【図６】
2017146861.tif 000008
【図７】
2017146861.tif 000009
【図８】
2017146861.tif 000010